(57)【要約】【課  題】電気融着継手を不用意に落したり、他のものが当たってターミナルに衝撃力が加わったとき、ターミナルが変形したり損傷して使用不能になるのを防ぐことができるようにする。【解決手段】ソケット継手１のターミナル３にそれぞれ、ゴム製のリング状のキャップ１１を嵌挿し、ターミナル全体を覆ってターミナルを衝撃から保護する。【選択図】  図４
2005023990.tif 000002
【特許請求の範囲】
【請求項１】
樹脂管との接合面に電熱線を埋設し、樹脂管との融着を電熱線への通電によって行う電気融着継手におけるターミナルに着脱可能に被せられるターミナル保護用のキャップ。
【請求項２】
外周面に凸部及び若しくは凹部を設けて掴み易くした請求項１記載のターミナル保護用のキャップ。
【請求項３】
クッションとしての機能を有する請求項１又は２記載のターミナル保護用のキャップ。
【請求項４】
中空状であるか、窪みを有し、或いは側方に突出する弾力性のあるリップを有する請求項３記載のターミナル保護用のキャップ。
【請求項５】
生分解性の材質で形成される請求項１ないし４のいずれかの請求項に記載のターミナル保護用のキャップ。
【請求項６】
継手が、樹脂管が差し込まれる差込部を有するソケット系の継手である請求項１ないし５のいずれかの請求項に記載のターミナル保護用のキャップ。
【発明の詳細な説明】
【０００１】
【発明が属する技術分野】
本発明は、電気融着継手のターミナルにターミナル保護のため着脱可能に取着されるキャップに関する。
【０００２】
【従来技術】
電気融着継手は、樹脂管との接合面に電熱線を埋設し、樹脂管との融着を電熱線への通電によって行うタイプの継手で、ソケット継手、チーズ継手、エルボ継手、レジューサ継手、キャップ継手等、樹脂管が差し込まれる差込部を有するソケット系の継手と、サドル継手、サービスチー継手等、樹脂管側面に当てられるサドル部を有するサドル系の継手がある。
【０００３】
上記継手は、いずれの継手においても図１に示すように、継手１の表面に図示しない電熱線に繋がるターミナルピンを備えたターミナル３が通常、一対突設され、電気融着時にはコントローラのコネクターが差し込まれるようになっている。
【０００４】
【発明が解決しようとする課題】
電気融着継手は、不用意に落したり、他の物、ことに重量物がターミナルに当たると、ターミナルが変形するなどして損傷し易く、コントローラのコネクターを差し込むことができなくなって使用できなくなることがある。
【０００５】
この問題に対処するため、図１に示すターミナル３の肉厚を大にし、外力によって容易に変形しないような強度を有するものとすることも考えられるが、この場合、既存のコネクターはサイズが合わなくなって、差し込むことができなくなるし、また肉厚を大にした場合、成形後、肉厚部の冷却速度が遅くなって継手内周面に歪みが生じ易くなる。
【０００６】
本発明は、ターミナルの肉厚を大にすることなく、ターミナルが外部からの衝撃によって変形し、損傷することがないようにしたものである。
【０００７】
【課題の解決手段】
本発明はそのため、樹脂管との接合面に電熱線を埋設し、樹脂管との融着を電熱線への通電によって行う電気融着継手において、継手より突設されるターミナルにターミナル保護のためのキャップを被せたことを特徴とする。
【０００８】
ここでキャップは、両端が開放されたリング状のものであってもよいし、一端が開口した断面略Ｕ形状のものであってもよい。
前者のリング状をなす場合、図２に示すように、その長さｌは、ターミナルピン３の高さをｈとすると、ｌ≧ｈとするのが望ましい。図中、２はターミナルピンを示す。
【０００９】
キャップが略Ｕ形状をなす後者の場合も、キャップがターミナル全体を覆うようにするのが望ましい。
いずれの場合であっても、キャップ４、５の径ｄと、高さＨは、好ましくはＨ≒ｄ、より好ましくはＨ＜ｄとされる。
【００１０】
別の発明は、上記キャップの外周面に凹部及び若しくは凸部を設けて掴み易くしたことを特徴とする。
本発明によると、キャップを掴んで取付けたり取外すのが容易となる。
【００１１】
更に別の発明は、上記キャップがクッションとしての機能を有することを特徴とする。
本発明によると、継手を落したり、他の物が継手に当たったとき、キャップがクッションとしての機能を果たしてターミナルへの衝撃力を緩和することができる。
【００１２】
キャップにクッションとしての機能を持たせるには、キャップを弾性変形し易い材質又は形状にするとよい。
弾性変形し易い材質としては、例えば硬質ウレタンやゴムなど、ある程度の硬度を有するものが望ましく、スポンジのような余りに軟らかなものは衝撃力が加わったときターミナル保護の機能が十分でなく望ましくない。
【００１３】
また弾性変形し易い形状にするには、例えばキャップを中空状にしたり、環状の窪みを設け、或いはキャップ外周に側方に突出する弾力性のあるリップを周方向に適宜の間隔を設けて突設するとよい。
したがって別の発明は、キャップが中空状であるか、窪みを有し、或いは側方に突出する弾力性のあるリップを有するものである。
【００１４】
更に別の発明は、上記キャップが生分解性の材質で形成されることを特徴とする。
キャップは施工時には、ターミナルより外されるが、外したまゝ現場に置き忘れることが予想される。キャップを生分解性の材質で形成すれば、現場に置き忘れるようなことがあっても埋め戻されて土中に埋設されるようになる場面にはことに分解され易くなり、環境対策上好ましい。
【００１５】
ここで生分解性の材質としては、例えば厚紙や段ボール等の紙類、ポリ乳酸のような生分解性のプラスチック等を例示することができる。
【００１６】
【発明の実施の形態】
図４は、ソケット継手１のターミナル３にそれぞれ、ゴム製のリング状のキャップ１１を嵌挿し、ターミナル全体を覆ったものである。
因みにキャップ７を取付けない継手１を１．５ｍの高さからコンクリート上に落したとき、継手１はコンクリートに当たってリバウンドし、そのときターミナル３は、１０回のうち、１〜２回はコンクリートに当たって変形したのに対し、キャップ１７を取付けた状態で、同様にしてコンクリート上に落したとき、１０回落しても変形することはなかった。
【００１７】
図５は、サドル継手９のターミナル３にそれぞれリング状のキャップ７を嵌挿した例を示すものである。図中、８はスピゴットを示す。
図６は、キャップの別の例を示すもので、蓋状をなすキャップ１０の内側にターミナルピン２に嵌挿される小径のソケット部１１を同心円上に突設したもので、キャップ１０を掴み易くするため外周面には凹部１２が形成されている。
【００１８】
図７及び図８は、キャップの更に別の例を示すもので、蓋状をなすキャップ１４に上方より環状溝よりなる窪み１５が上下方向に形成してあり、上端の外周にはキャップ１４を掴み易くするため、フランジ状をなす環状の凸部１６が突設されている。
【００１９】
図９は、図７及び図８に示すキャップ１４において、窪み１５の内外側壁を連結するリブ１８を周方向に等間隔で形成して補強したものである。
図１０は、図７及び図８に示すキャップ１４において、内側にターミナルピン２に嵌挿される小径のソケット部１１を同心円状に突設したものである。
【００２０】
図１１は、キャップの他の例を示すもので、キャップ２０を周壁を肉厚として全体を硬質ウレタン又はゴム製としたものである。
【００２１】
【発明の効果】
請求項１に係わる発明によると、ターミナルに単にキャップを取り付けるだけで、継手を不用意に落したり、他のものがターミナルに当たってターミナルに衝撃力が加わるようなことがあっても、ターミナルの変形や損傷をなくしたり、軽減し、使用不能を避けることができる。
【００２２】
請求項２に係わる発明によると、キャップを掴み易くなり、抜き差しが確実に行われるようになる。
請求項３及び４に係わる発明によると、キャップにより衝撃力を吸収して緩和し、ターミナルの変形や損傷をより少なくすることができる。
【００２３】
請求項５に係わる発明によると、ターミナルより外したキャップを施工現場にそのまま忘れるようなことがあっても、時間が経つにつれ分解され、環境悪化をもたらさないようにすることができる。
【００２４】
請求項６に係わる発明によると、サドル系の継手のようにターミナルの近くに突出部のないソケット系の継手の場合、キャップを取り付けることがターミナルを保護するうえで特に有効となる。
【図面の簡単な説明】
【図１】電気融着ソケット継手の概略図。
【図２】ターミナルとキャップの関係を示す図
【図３】ターミナルに取付たキャップの別の例を示す図。
【図４】図１に示すソケット継手のターミナルに取付けたキャップの断面図。
【図５】サドル継手のターミナルに取付けたキャップの断面図。
【図６】キャップの別の態様を示す断面図。
【図７】キャップの更に別の態様示す平面図。
【図８】同断面図。
【図９】キャップの更に別の態様を示す断面図
【図１０】キャップの更に別の例の態様を示す断面図。
【図１１】キャップの他の例の態様を示す断面図
【符号の説明】
１・・ソケット継手
２・・ターミナルピン
３・・ターミナル
４、５、７、１０、１４、２０・・キャップ
１１・・ソケット部
１２・・凹部
１５・・窪み
１６・・凸部
１８・・リブ
【図１】
2005023990.tif 000003
【図２】
2005023990.tif 000004
【図３】
2005023990.tif 000005
【図４】
2005023990.tif 000006
【図５】
2005023990.tif 000007
【図６】
2005023990.tif 000008
【図７】
2005023990.tif 000009
【図８】
2005023990.tif 000010
【図９】
2005023990.tif 000011
【図１０】
2005023990.tif 000012
【図１１】
2005023990.tif 000013